(57)【要約】【課題】操作者が指定した静止画像に関連する音声を静止画像に関連付けて記録することができるカメラを提供する。【解決手段】被写体光を撮像する撮像素子３２と、外部音声を取得するマイク１０，１８と、前記マイクにより取得された外部音声を一時的に記憶する記憶部３６と、半押しにより前記撮像素子による撮像準備動作の開始指示を行うと共に、全押しにより前記撮像素子からの撮像信号に基づく画像データの記録媒体３８への記録指示を行うシャッタボタン４４と、前記シャッタボタンが半押しされた後に、前記マイクにより取得された外部音声を前記記憶部へ記憶させる音声記憶制御部３０と、前記シャッタボタンが全押しされたことに基づいて、前記記憶部に記憶されている前記外部音声の中から操作者が指定した部分の音声を前記画像データに関連付けて前記画像データと共に前記記録媒体に記録させる記録制御部３０とを備える。【選択図】図３
2013162278.tif 000002
【特許請求の範囲】
【請求項１】
被写体光を撮像する撮像素子と、
外部音声を取得するマイクと、
前記マイクにより取得された外部音声を一時的に記憶する記憶部と、
半押しにより前記撮像素子による撮像準備動作の開始指示を行うと共に、全押しにより前記撮像素子からの撮像信号に基づく画像データの記録媒体への記録指示を行うシャッタボタンと、
前記シャッタボタンが半押しされた後に、前記マイクにより取得された外部音声を前記記憶部へ記憶させる音声記憶制御部と、
前記シャッタボタンが全押しされたことに基づいて、前記記憶部に記憶されている前記外部音声の中から操作者が指定した部分の音声を前記画像データに関連付けて前記画像データと共に前記記録媒体に記録させる記録制御部と
を備えることを特徴とするカメラ。
【請求項２】
前記操作者が指定した部分の音声は、前記シャッタボタンの全押しの前部分の音声、後部分の音声及び前後部分の音声の何れかであることを特徴とする請求項１記載のカメラ。
【請求項３】
前記マイクは、該カメラの前面に設けられた前面マイクと該カメラの背面に設けられた背面マイクとを備え、
前記シャッタボタンの全押しの前後で、前記外部音声の取得に使用するマイクを切替えることを特徴とする請求項１または２記載のカメラ。
【請求項４】
前記記録媒体に記録されている前記画像データを再生する場合に、前記画像データに関連付けて記憶されている音声の再生を行うことを特徴とする請求項１〜３の何れか一項に記載のカメラ。
【請求項５】
前記記録媒体に記録されている複数の前記画像データをスライドショーとして再生する場合には、前記画像データに関連付けて記憶されている音声の再生終了後、次の画像データの再生を行うことを特徴とする請求項４記載のカメラ。
【請求項６】
前記撮像素子からの撮像信号に基づき連続して取得された複数の画像データを前記記録媒体へ記録する場合には、
前記記録制御部は、前記記憶部に記憶されている外部音声に基づいて作成された所定時間ごとの音声を前記画像データのそれぞれに関連付けて記録させることを特徴とする請求項１記載のカメラ。
【発明の詳細な説明】
【技術分野】
【０００１】
本発明は、カメラに関するものである。
【背景技術】
【０００２】
従来、所定時間分の音声を常に録音しておき、シャッタボタンが押下されたときシャッタボタン押下前の所定時間分の音声を撮像画像の画像データに添付するデジタルカメラ搭載型携帯電話機が存在する（例えば、特許文献１参照）。
【先行技術文献】
【特許文献】
【０００３】
【特許文献１】特開２００３−１３４２５８号公報
【発明の概要】
【発明が解決しようとする課題】
【０００４】
しかし、このデジタルカメラ搭載型携帯電話機においては、シャッタボタン押下前の所定時間分の音声が画像データに添付されることから、静止画像に関連する音声の中で操作者が希望する音声を静止画像に関連付けて記録することができなかった。
【０００５】
本発明の目的は、操作者が指定した静止画像に関連する音声を静止画像に関連付けて記録することができるカメラを提供することである。
【課題を解決するための手段】
【０００６】
本発明のカメラは、被写体光を撮像する撮像素子と、外部音声を取得するマイクと、前記マイクにより取得された外部音声を一時的に記憶する記憶部と、半押しにより前記撮像素子による撮像準備動作の開始指示を行うと共に、全押しにより前記撮像素子からの撮像信号に基づく画像データの記録媒体への記録指示を行うシャッタボタンと、前記シャッタボタンが半押しされた後に、前記マイクにより取得された外部音声を前記記憶部へ記憶させる音声記憶制御部と、前記シャッタボタンが全押しされたことに基づいて、前記記憶部に記憶されている前記外部音声の中から操作者が指定した部分の音声を前記画像データに関連付けて前記画像データと共に前記記録媒体に記録させる記録制御部とを備えることを特徴とする。
【発明の効果】
【０００７】
本発明によれば、操作者が指定した静止画像に関連する音声を静止画像に関連付けて記録することができる。
【図面の簡単な説明】
【０００８】
【図１】実施の形態に係るカメラの正面図である。
【図２】実施の形態に係るカメラの背面図である。
【図３】実施の形態に係るカメラのシステム構成を示すブロック図である。
【図４】実施の形態に係る音声のバッファリング時間及び静止画像に関連する音声を示すタイムチャートである。
【発明を実施するための形態】
【０００９】
以下、図面を参照して本発明の実施の形態に係るカメラを説明する。図１は、実施の形態に係るカメラの正面図である。図１に示すように、カメラ２の筐体４の前面６には、被写体からの光を撮像素子３２（図３参照）に導く撮影レンズ８及び外部音声を取得するためのステレオマイクである正面マイク１０が設けられている。また、筐体４の上面には、撮影準備動作の開始指示及び撮影の指示を行うシャッタボタン２２が設けられている。ここで、正面マイク１０は撮影レンズ８の上側の左右に配置されている。
【００１０】
図２は、実施の形態に係るカメラの背面図である。図２に示すように、カメラ２の筐体４の背面１２には、メニュー操作や音声記録処理等の設定に用いるマルチセレクタ１４、カメラ２における各種設定を行うメニュー画面を表示させるメニューボタン１６、音声を出力するスピーカ１７、外部音声を取得するためのステレオマイクである背面マイク１８及び撮影画像や各種の情報を表示するＬＣＤ表示部２０が設けられている。ここで、背面マイク１８はスピーカ１７の上側の左右に配置されている。
【００１１】
図３は、実施の形態に係るカメラ２のシステム構成を示すブロック図である。図３に示すように、カメラ２は制御部３０を備え、制御部３０には、ＣＣＤまたはＣＭＯＳ等により構成され撮影レンズ８を介した被写体光を撮像して撮像信号を出力する撮像素子３２、撮像素子３２から出力された撮像信号に基づく画像データ等を記憶するメモリ３４、正面マイク１０、背面マイク１８、正面マイク１０または背面マイク１８により取得した外部音声を図示しないＡ／Ｄ変換部においてＡ／Ｄ変換することにより生成された音声を一時的に記憶する音声用バッファメモリ３６、撮像素子３２からの撮像信号に基づく静止画像データ及び正面マイク１０または背面マイク１８から取得した外部音声等を記録するＳＤカードなどの記録媒体３８、スピーカ１７からの音声出力を制御するスピーカ制御部４０、ＬＣＤ表示部２０の表示制御を行う表示制御部４２及び操作部４４が接続されている。ここで、操作部４４は、マルチセレクタ１４、メニューボタン１６及びシャッタボタン２２等を備えている。
【００１２】
次に、図４に示すタイムチャートを参照して、実施の形態に係るカメラ２により実施される音声記録処理について説明する。
【００１３】
操作者がメニューボタン１６を操作することによりカメラ２の撮影モードを静止画像撮影モードに設定すると、制御部３０は撮像素子３２から出力された撮像信号に基づいてＬＣＤ表示部２０にスルー画を表示する。
【００１４】
制御部３０は、シャッタボタン２２が半押しされた場合に（Ｓ１）、ＡＦ（オートフォーカス）処理、ＡＥ（自動露出）処理等の撮影準備動作を開始する。また、背面マイク１８により外部音声を取得し、取得された外部音声の音声用バッファメモリ３６への記憶を開始する。
【００１５】
制御部３０は、シャッタボタン２２が全押しされた場合に（Ｓ２）、撮像素子３２からの撮像信号に基づく静止画像データをメモリ３４へ記憶する。また、外部音声の取得に使用するマイクを背面マイク１８から正面マイク１０へ切り替え正面マイク１０により引き続き外部音声を取得する。そして、取得された外部音声を予め設定されているバッファリング時間分、音声用バッファメモリ３６に記憶する。例えば、図４（ａ）に示すように音声用バッファメモリ３６にシャッタボタン２２の半押し時（Ｓ１）から全押し時（Ｓ２）の５秒後までの外部音声を記憶する。
【００１６】
制御部３０は、音声用バッファメモリ３６に記憶されている外部音声の中から操作者が予め指定した静止画像に関連する音声、例えばシャッタボタン２２の全押し時（Ｓ２）の前後５秒間の外部音声を静止画像データに関連付けて静止画像データと共に記録媒体３８に記録する。そして、記録媒体３８に記録されている静止画像データを再生する場合には、静止画像データに基づく画像をＬＣＤ表示部２０に表示し、その静止画像データに関連付けて記憶されている音声をスピーカ１７から出力する。
【００１７】
この実施の形態に係るカメラによれば、操作者が指定した静止画像に関連する音声を静止画像に関連付けて記録することができる。また、シャッタボタンが全押しされた場合、外部音声の取得に使用するマイクを背面マイクから正面マイクへ切り替えるため、静止画像の撮影前にカメラ背面側の操作者から発せられた声及び撮影後にカメラ正面側の被写体（例えば、人）から発せられる声を確実に取得することができる。
【００１８】
なお、上述の実施の形態において、図４（ｂ）に示すように音声のバッファリング時間についてシャッタボタン２２の半押し時（Ｓ１）から全押し時（Ｓ２）の１０秒後までと予め設定し、音声用バッファメモリ３６に記憶された外部音声の中からシャッタボタン２２の全押し時（Ｓ２）の後１０秒間の音声を静止画像データに関連付けて静止画像データと共に記録媒体３８に記録するように予め指定してもよい。
【００１９】
また、上述の実施の形態において、図４（ｃ）に示すように音声のバッファリング時間についてシャッタボタン２２の半押し時（Ｓ１）から全押し時（Ｓ２）までと予め設定し、音声用バッファメモリ３６に記憶された外部音声の中からシャッタボタン２２の全押し時（Ｓ２）の前１０秒間の音声を静止画像データに関連付けて静止画像データと共に記録媒体３８に記録するように予め指定してもよい。
【００２０】
また、上述の実施の形態においては、静止画像に関連付けて記録媒体に記録する音声を静止画像の撮影前に予め指定しているが、静止画像の撮影後に静止画像に関連する音声を指定し、指定した音声を静止画像データに関連付けて記録媒体に記録するようにしてもよい。
【００２１】
また、上述の実施の形態において、記録媒体３８に記録されている複数の静止画像データをスライドショーとして再生する場合に、静止画像データに基づく画像をＬＣＤ表示部２０に表示し、静止画像データに関連付けて記録されている音声の再生終了後、次の静止画像データの再生を行うようにしてもよい。
【００２２】
また、上述の実施の形態において、正面マイク１０及び背面マイク１８により取得された外部音声を記憶するか否かについて設定できるようにしてもよい。
【００２３】
また、上述の実施の形態においては、シャッタボタン２２が半押しされた場合に背面マイク１８により外部音声を取得しているが、正面マイク１０により外部音声を取得するようにしてもよい。この場合、シャッタボタン２２が全押しされた場合には、外部音声の取得に使用するマイクを正面マイク１０から背面マイク１８へ切り替え背面マイク１８により外部音声を取得する。
【００２４】
また、上述の実施の形態において、音声用バッファメモリ３６に記憶する外部音声の時間がバッファリング時間を超えた場合には古い音声を削除して、常に最新の一定時間の音声を記憶するようにしてもよい。
【００２５】
また、上述の実施の形態において、連写により静止画の撮影が行なわれた場合には、音声用バッファメモリ３６に記憶されているシャッタボタンの半押し以降の外部音声から連写撮影において取得された複数の静止画像データのそれぞれに関連付けて記録する音声を作成し、複数の静止画像データのそれぞれに関連付けて静止画像データと共に記録媒体３８に記録するようにしてもよい。ここで、それぞれの静止画像データに関連付けて記録する音声は、それぞれの静止画像の撮影時の前後１秒などの音声であっても良いし、音声用バッファメモリ３６に記憶されている外部音声の時間を連写撮影により撮影された静止画像の枚数で割った時間の外部音声であっても良い。
【符号の説明】
【００２６】
２…カメラ、１０…正面マイク、１８…背面マイク、２２…シャッタボタン、３０…制御部、３２…撮像素子、３４…メモリ、３６…音声用バッファメモリ、３８…記録媒体、４４…操作部。
【図１】
2013162278.tif 000003
【図２】
2013162278.tif 000004
【図３】
2013162278.tif 000005
【図４】
2013162278.tif 000006